(57)【要約】【課題】  遊技盤及び支持部材の本体基部への取り付け、本体基部からの取り外しの作業を効率的に行う。【解決手段】  本体基部１２の第１上部軸受け６７に制御回路ユニット１５の第１上部軸４３を挿入して本体基部１２に制御回路ユニット１５を取り付ける。制御回路ユニット１５の第２上部軸受け４７に遊技盤１３の第２上部軸４６を、第２下部軸受け４９に第２下部軸４８を挿入して制御回路ユニット１５に遊技盤１３を取り付ける。制御回路ユニット１５の第２固定部材３９を遊技盤１３の第２固定部材用挿通孔１３ｄに挿入して係止させることにより遊技盤１３と制御回路ユニット１５とを一体化させる。第１固定部材３６を支持部材３７の挿通孔３７ｃ及び遊技盤１３の挿通孔１３ｃに挿入して係止させる。【選択図】        図４
2005342317.tif 000002
【特許請求の範囲】
【請求項１】
遊技球が打ち出される遊技領域を有する遊技盤と、
前記遊技領域とは反対側となる前記遊技盤の背面に、ハズレ又は当たりを決定する抽選を行う制御回路装置を支持する装置支持部、及び前記遊技球が流下する球通路の少なくともいずれか一方が設けられた支持部材と、
前記支持部材及び前記遊技盤が前面側から取り付けられる本体基部とを備えた遊技機において、
前記支持部材及び前記本体基部のいずれか一方に第１軸を、他方に前記第１軸を挿脱自在で、且つ回動自在に保持する第１軸受けを設け、
前記遊技盤及び前記支持部材のいずれか一方に第２軸を、他方に前記第２軸を挿脱自在で、且つ回動自在に保持する第２軸受けを設け、
前記遊技盤及び前記支持部材の少なくとも一方に、前記遊技盤と前記支持部材とを一体化し、且つ前記一体化を解除する一体化手段を設けたことを特徴とする遊技機。
【請求項２】
前記遊技領域を視認可能にする窓部を有する回動扉、及び前記支持部材のいずれか一方に第３軸を設け、他方に前記第３軸を挿脱自在で、且つ回動自在に保持する第３軸受けを設けたことを特徴とする請求項１記載の遊技機。
【請求項３】
前記一体化手段は、前記遊技盤と前記支持部材との一方に設けられた係止突起と、他方に形成され、前記係止突起が挿入されて係止する孔部とから構成されることを特徴とする請求項１または２記載の遊技機。
【請求項４】
前記第１軸の軸心部と前記第３軸の軸心部とを同軸上に配設することを特徴とする請求項１ないし３のいずれか１つに記載の遊技機。
【請求項５】
遊技球が打ち出される遊技領域を有する遊技盤と、
前記遊技領域とは反対側となる前記遊技盤の背面に、ハズレ又は当たりを決定する抽選を行う制御回路装置を支持する装置支持部、及び前記遊技球が流下する球通路の少なくともいずれか一方が設けられた支持部材と、
前記支持部材及び前記遊技盤が前面側から取り付けられる本体基部とを備え、
前記支持部材及び前記本体基部のいずれか一方に第１軸を、他方に前記第１軸を挿脱自在で、且つ回動自在に保持する第１軸受けを設け、
前記遊技盤及び前記支持部材のいずれか一方に第２軸を、他方に前記第２軸を挿脱自在で、且つ回動自在に保持する第２軸受けを設け、
前記遊技盤及び前記支持部材の少なくとも一方に、前記遊技盤と前記支持部材とを一体化し、且つ前記一体化を解除する一体化手段を設けた遊技機における遊技盤及び支持部材の本体基部への取り付け方法であって、
遊技を行う際に遊技者と対面する側となる前記本体基部の前面側から、前記第１軸を前記第１軸受けに挿入して前記支持部材を前記本体基部に取り付けた後、前記第２軸を前記第２軸受けに挿入して前記遊技盤を前記本体基部に取り付けるとともに、前記一体化手段により前記遊技盤と前記支持部材とを一体化することを特徴とする遊技機における遊技盤及び支持部材の本体基部への取り付け方法。
【発明の詳細な説明】
【技術分野】
【０００１】
本発明は、パチンコ店などの遊技場に設置して使用されるパチンコ機などの遊技機、遊技機における遊技盤及び支持部材の本体基部への取り付け方法に関するものである。
【背景技術】
【０００２】
遊技場に設置される遊技機としてパチンコ機が挙げられる。パチンコ機を構成する基体となる本体基部には、パチンコ球（遊技球）が打ち出される遊技領域が形成された遊技盤、遊技の際に作動される駆動装置の作動を制御する制御回路装置、液晶パネルなどを支持するとともに、パチンコ球の球通路が形成された支持部材が取り付けられている。本体基部の前面には、遊技領域を視認させる窓部を備えた前面扉（回動扉）が回動自在に取り付けられている。前面扉は遊技盤や支持部材を本体基部に取り付けたり、あるいは遊技盤や支持部材を本体基部から取り外したりする際に開閉される。設置されているパチンコ機のデザインを一新したり、あるいは遊技性の異なるパチンコ機へ交換する場合には、遊技場で新たな機種のパチンコ機と設置中の古い機種のパチンコ機とが本体基部ごと全て交換される。
【０００３】
ところで、パチンコ機は機種に関わらず多くの共通部品が使用されているが、本体基部などを交換してしまうと、共通部品も同時に交換することになって共通部品をリユースできなくなり、機種交換に伴うコストが高くなってしまう。このため、例えば機種の入れ替えや破損や故障などによって、遊技機の交換を行うにあたって共通部品を遊技場に据え置きとし、変更となる部品のみを交換することが可能なパチンコ機を提供することが検討されている。例えば、遊技盤のみを交換することができるように遊技盤と支持部材とを別個にして、本体基部に支持部材を取り付けて、遊技盤を支持部材に着脱自在に設ける。これにより、制御回路装置を支持部材とともに本体基部に据え置き、遊技盤のみを新たなパチンコ機に対応した遊技盤に容易に交換することができる。
【発明の開示】
【発明が解決しようとする課題】
【０００４】
しかしながら、上述したように支持部材を本体基部に据え置きにした場合、例えば、制御回路装置や球通路などのメンテナンスや交換などの作業を行う際には、遊技盤を支持部材から取り外した後に、支持部材が本体基部に据え置かれている状態で制御回路装置や球通路を取り外したり、あるいは支持部材ごと本体基部から取り外さなければならないため、取り外し作業が面倒になってしまうといった問題が生じる。また、遊技盤及び支持部材を新しいものに交換する場合についても、本体基部から遊技盤を取り外した後に支持部材を取り外さなければならず、やはり取り外し作業が面倒であるといった問題が生じてしまう。
【０００５】
遊技盤及び支持部材をまとめて本体基部から取り外すために、例えば、遊技盤と支持部材とをネジ止めにより一体化させてから本体基部に取り付ける方法が考えられるが、この場合、遊技盤と支持部材のいずれか一方のみのメンテナンスや交換などを行う際に、ネジ止めにより一体化した遊技盤と支持部材とを一旦本体基部から取り外してから遊技盤と支持部材とのネジ止めを解除しなければならず、やはり作業が面倒になるといった問題が生じる。
【０００６】
本発明は、上記課題を解決するためになされたものであり、機種の入れ替えや破損や故障などによって遊技機の交換を行うにあたって、状況に応じたコストダウンを図り、さらに、遊技盤及び支持部材の本体基部への取り付け、本体基部からの取り外しの作業を状況に応じて効率的に行うことができるようにした遊技機、及び遊技機における遊技盤及び支持部材の本体基部への取り付け方法を提供することを目的とする。
【課題を解決するための手段】
【０００７】
上記目的を達成するために、本発明の遊技機は、遊技球が打ち出される遊技領域を有する遊技盤と、前記遊技領域とは反対側となる前記遊技盤の背面に、ハズレ又は当たりを決定する抽選を行う制御回路装置を支持する装置支持部、及び前記遊技球が流下する球通路の少なくともいずれか一方が設けられた支持部材と、前記支持部材及び前記遊技盤が前面側から取り付けられる本体基部とを備えたものであり、前記支持部材及び前記本体基部のいずれか一方に第１軸を、他方に前記第１軸を挿脱自在で、且つ回動自在に保持する第１軸受けを設け、前記遊技盤及び前記支持部材のいずれか一方に第２軸を、他方に前記第２軸を挿脱自在で、且つ回動自在に保持する第２軸受けを設け、前記遊技盤及び前記支持部材の少なくとも一方に、前記遊技盤と前記支持部材とを一体化し、且つ前記一体化を解除する一体化手段を設けたことを特徴とする。
【０００８】
また、前記遊技領域を視認可能にする窓部を有する回動扉、及び前記支持部材のいずれか一方に第３軸を設け、他方に前記第３軸を挿脱自在で、且つ回動自在に保持する第３軸受けを設けることが好ましい。
【０００９】
また、前記一体化手段は、前記遊技盤と前記支持部材との一方に設けられた係止突起と、他方に形成され、前記係止突起が挿入されて係止する孔部とから構成されることが好ましい。
【００１０】
また、前記第１軸の軸心部と前記第３軸の軸心部とを同軸上に配設することが好ましい。
【００１１】
本発明の遊技機における遊技盤及び支持部材の本体基部への取り付け方法は、遊技球が打ち出される遊技領域を有する遊技盤と、前記遊技領域とは反対側となる前記遊技盤の背面に、ハズレ又は当たりを決定する抽選を行う制御回路装置を支持する装置支持部、及び前記遊技球が流下する球通路の少なくともいずれか一方が設けられた支持部材と、前記支持部材及び前記遊技盤が前面側から取り付けられる本体基部とを備え、前記支持部材及び前記本体基部のいずれか一方に第１軸を、他方に前記第１軸を挿脱自在で、且つ回動自在に保持する第１軸受けを設け、前記遊技盤及び前記支持部材のいずれか一方に第２軸を、他方に前記第２軸を挿脱自在で、且つ回動自在に保持する第２軸受けを設け、前記遊技盤及び前記支持部材の少なくとも一方に、前記遊技盤と前記支持部材とを一体化し、且つ前記一体化を解除する一体化手段を設けた遊技機における遊技盤及び支持部材の本体基部への取り付け方法であって、遊技を行う際に遊技者と対面する側となる前記本体基部の前面側から、前記第１軸を前記第１軸受けに挿入して前記支持部材を前記本体基部に取り付けた後、前記第２軸を前記第２軸受けに挿入して前記遊技盤を前記本体基部に取り付けるとともに、前記一体化手段により前記遊技盤と前記支持部材とを一体化することを特徴とする。
【発明の効果】
【００１２】
本発明の遊技機は、支持部材及び本体基部のいずれか一方に第１軸を、他方に第１軸を挿脱自在で、且つ回動自在に保持する第１軸受けを設け、遊技盤及び支持部材のいずれか一方に第２軸を、他方に第２軸を挿脱自在で、且つ回動自在に保持する第２軸受けを設け、遊技盤及び支持部材の少なくとも一方に、遊技盤と支持部材とを一体化し、且つ一体化を解除する一体化手段を設け、遊技を行う際に遊技者と対面する側となる本体基部の前面側から、第１軸を第１軸受けに挿入して支持部材を本体基部に取り付けた後、第２軸を第２軸受けに挿入して遊技盤を本体基部に取り付けるとともに、一体化手段により遊技盤と支持部材とを一体化するようにしたので、遊技盤と支持部材とを本体基部に容易に取り付けることができ、また、遊技盤と支持部材とを一体化させたまま本体基部から取り外すことができる。さらに、一体化手段により遊技盤と支持部材とを一体化させてから本体基部に取り付け、遊技盤と支持部材とを本体基部からそれぞれ独立させて取り外すことが可能となる。よって、遊技盤及び支持部材の本体基部への取り付け、本体基部からの取り外しの作業を状況に応じて効率的に行うことが可能となる。しかも、機種の入れ替えや破損や故障などによって遊技機の交換を行うにあたって、必要な箇所のみを取り外せるため、状況に応じたコストダウンを図ることができる。
【００１３】
また、遊技領域を視認可能にする窓部を有する回動扉、及び支持部材のいずれか一方に第３軸を設け、他方に第３軸を挿脱自在で、且つ回動自在に保持する第３軸受けを設けたので、遊技盤と回動扉とを一緒に取り外すことが可能となり、遊技盤と回動扉とのデザイン変更を同時に行う場合には作業の効率を向上させることができる。
【００１４】
また、一体化手段は、遊技盤と支持部材との一方に設けられた係止突起と、他方に形成され、係止突起が挿入されて係止する孔部とから構成されるので、簡便で、且つ低コストな構造で遊技盤と支持部材とを一体化させることができる。また、孔部に係止突起を挿入することにより位置決めを行えるため、遊技盤を支持部材の適切な位置に迅速に取り付けることができる。さらに、孔部から係止突起を引き抜くだけで遊技盤を支持部材から容易に取り外すことができる。
【００１５】
また、第１軸の軸心部と第３軸の軸心部とを同軸上に配設したので、支持部材と本体基部と回動扉との位置決めを正確、且つ容易に行うことが可能となり、パチンコ球発射装置と遊技盤との相対的な位置のズレを抑えて、パチンコ球発射装置から発射されたパチンコ球が設計時に計算された位置とは異なる位置に打ち出されてしまうことを防止するとともに、回動扉の窓部を正確な位置に位置決めして遊技領域の設計時に計算された位置を視認可能とすることができ、また、回動扉を支持部材に取り付ける作業の効率を向上させることができる。さらに、遊技盤と回動扉の窓部との対応関係の寸法精度が高められるため、遊技盤面に形成されたデザインと窓部に形成されたデザインとのコンビネーションを良好な状態にすることができる。
【発明を実施するための最良の形態】
【００１６】
図１〜図４に示すように、遊技機であるパチンコ機１０は、外枠１１、本体基部１２、遊技盤１３、窓部（回動扉）１４、及び制御回路ユニット１５から構成されている。外枠１１は遊技場の設置箇所に固定される。本体基部１２は、外枠１１に第４上部軸受け１６を介して着脱自在で、かつ、回動自在に軸着されている。本体基部１２の内部には遊技盤１３及び制御回路ユニット１５が配設されており、遊技盤１３の前面側には窓部１４が設けられている。
【００１７】
窓部１４の前面には、ランプ１７やスピーカー１８などが取り付けられている。窓部１４にはガラス扉１９が取り付けられている。ガラス扉１９は、ガラス枠２０とガラス板２１とから構成されている。ガラス板２１はガラス枠２０に嵌め込まれている。ガラス枠２０は、窓部１４に対してガラス枠用軸２２を中心に回動自在でかつ着脱自在に取り付けられている。ガラス扉１９が窓部１４のガラス枠用開口１４ａに嵌め込まれ、窓部１４に設けられた窓止め部材２３がガラス扉１９に係止すると、ガラス扉１９は回転不能な状態となる。窓部１４が閉じている場合には、遊技者や遊技場の作業者は、窓部１４のガラス板２１を通して遊技盤１３上を視認することができるが、この状態では遊技盤１３上に形成された構造物には触れることができないようになっている。なお、ガラス扉１９にはガラス板２１に限らず、例えば透明な樹脂の板など透明な板であれば良く、適宜の部材を嵌め込めば良い。
【００１８】
本体基部１２は、上部と下部の２つに区画された矩形の枠形状に形成されており、その下部には下部ユニット２４が取り付けられている。下部ユニット２４には、パチンコ球（遊技球）を供給する供給皿２５及びパチンコ球の打ち出し強さを調節する操作ハンドル２６が設けられている。
【００１９】
遊技盤１３は略矩形状に形成されている。遊技盤１３上にはガイドレール２７に囲まれた遊技領域１３ａが形成されている。遊技領域１３ａの中央には、略矩形状の開口１３ｂ（図４参照）が形成され、その他に、始動入賞口２８、通常入賞口２９、アタッカ３０、アウト口３１が設けられている。図示は省略してあるが、遊技盤１３の遊技領域１３ａにはその他複数の障害釘や風車などが適宜箇所に設けられている。
【００２０】
供給皿２５にパチンコ球が投入されると、内部に設けられた通路によりパチンコ球は発射装置（不図示）へと誘導される。そして、操作ハンドル２６が操作されると、発射装置によってパチンコ球が遊技盤１３の遊技領域１３ａに打ち出される。打ち出されたパチンコ球は始動入賞口２８、通常入賞口２９、アウト口３１のいずれかに入る。詳しくは後述するが、始動入賞口２８にパチンコ球が入賞すると制御回路装置３２によってハズレ又は当たりを決定する抽選が行われるとともに図柄表示装置３３が作動される。図柄表示装置３３では、図柄の可変表示及び抽選の結果に応じた演出処理などが行われる。そして、図柄が停止表示されたときに、予め定められた図柄の組み合わせが図柄表示装置３３の液晶パネル３３ａに表示されると当たりとなり、通常状態から遊技者にとって有利となる当たり状態へと所定期間移行される。
【００２１】
当たり状態となると、アタッカ３０が、一回につき、その奥に設けられている大入賞口を所定時間又はパチンコ球が所定個数入賞するまで開放するように回動され、これが所定回数繰り返される。始動入賞口２８、通常入賞口２９、大入賞口にパチンコ球が入賞すると、入賞した入賞口の種類に応じて所定個数のパチンコ球が払い出し口３４から供給皿２５に払い出される。一方、始動入賞口２８、通常入賞口２９、大入賞口に入賞しなかったパチンコ球はアウト口３１に入ってハズレ球として回収される。
【００２２】
枠状に形成されている本体基部１２の上部において、その内壁面１２ａには制御回路ユニット１５及び遊技盤１３が取り付けられる略矩形状の取り付け枠３５が設けられている。取り付け枠３５の前面側には遊技盤１３及び制御回路ユニット１５を本体基部１２内に収容するためのスペースが設けられており、本体基部１２の上部は、取り付け枠３５の前面と内壁面１２ａとにより前面側から見て一段凹んだ状態になっている。取り付け枠３５の中央部には略矩形状の開口１２ｂが形成されている。この開口１２ｂには後述する制御回路ユニット１５の制御回路装置３２が嵌め込まれる。
【００２３】
取り付け枠３５の正面から向かって右上端部及び右下端部には、遊技盤１３及び制御回路ユニット１５を取り付け枠３５に固定し、遊技盤１３及び制御回路ユニット１５を本体基部１２に対して回動不能にするための第１固定部材３６が設けられている。第１固定部材３６は係止部３６ａと軸部３６ｂとを備えている。軸部３６ｂは、後述する支持部材３７の厚さに遊技盤１３の厚さを加えた長さよりもやや長く形成されている。
【００２４】
制御回路ユニット１５は、支持部材３７、球通路３８、及び制御回路装置３２から構成されている。支持部材３７は略矩形状の薄板であり、遊技盤１３、窓部１４、及び制御回路装置３２を支持する。支持部材３７が本体基部１２に取り付けられる際には、支持部材３７は、遊技盤１３の遊技領域１３ａとは反対側の遊技盤１３の背面に配置される。そして、支持部材３７は、前面３７ａ側で遊技盤１３及び窓部１４を支持し、背面３７ｂ（装置支持部）側で制御回路装置３２を支持する。
【００２５】
支持部材３７の前面、すなわち、遊技盤１３を支持する際に遊技盤１３の背面に当接する面の中央部には、パチンコ球が上述した各入賞口に入賞した後に流下する球通路３８が設けられている。各入賞口に入賞したパチンコ球は球通路３８よって供給皿２５やパチンコ機２の内部、あるいは外部に設けられている貯留タンク（不図示）などに誘導される。
【００２６】
制御回路装置３２は支持部材３７の背面３７ｂに図示しないネジによって固定されている。制御回路装置３２は、メイン制御基板３２ａ、サブ制御基板３２ｂなどから構成されている。また、制御回路ユニット１５は図柄表示装置３３を備えており、図柄表示装置３３は、液晶パネル３３ａが支持部材３７の前面３７ａ側に突出するように支持部材３７に取り付けられている。遊技盤１３が支持部材３７に取り付けられ、遊技盤１３の背面が支持部材３７の前面３７ａに突き当てられると、図柄表示装置３３の液晶パネル３３ａは遊技盤１３の開口１３ｂから露呈される。
【００２７】
パチンコ機２はメイン制御基板３２ａに設けられたＣＰＵ（不図示）によって管制される。メイン制御基板３２ａは、機種に応じた遊技の実行処理を行い、さらに、サブ制御基板３２ｂに対して命令を行うための制御を行う。例えば、始動入賞口２８に設けられている始動入賞口入賞球検出センサ（不図示）によりパチンコ球の入賞が検出されると、メイン制御基板３２ａのＣＰＵにスタート信号が入力される。メイン制御基板３２ａはスタート信号に応答してハズレ又は当たりを決定する抽選を行い、抽選結果に応じた命令信号をサブ制御基板３２ｂに出力する。サブ制御基板３２ｂは、命令信号に基づいて図柄表示装置３３の表示制御、ランプ１７の点灯制御、スピーカー１８から出力される音声制御などの各駆動装置の作動を制御する。
【００２８】
支持部材３７の正面から向かって右上端部と右下端部のそれぞれには、支持部材３７が本体基部１２に取り付けられたときに第１固定部材３６の係止部３６ａに対応するように挿通孔３７ｃが１つずつ形成されている。また、支持部材３７の正面視右側部には２つの挿通孔３７ｃに挟まれるようにして第２固定部材（係止突起）３９が設けられている。第２固定部材３９は、遊技盤１３を支持部材３７に固定し、遊技盤１３を支持部材３７に対して回動不能にするためのものであり、第１固定部材３６と同様に係止部３９ａと軸部３９ｂとを備えている。軸部３９ｂは遊技盤１３の厚さよりもやや長く形成されている。
【００２９】
支持部材３７の正面視左側部には支柱４０が設けられている。支柱４０は遊技盤１３及び窓部１４を支持するためのものである。支柱４０は縦長の略コ字形状に形成されており、その上端部には、後述する窓部１４の第３上部軸（第３軸）４１を挿脱自在で、且つ回動自在に保持する第３上部軸受け（第３軸受け）４２が設けられている。詳しくは後述するが、第３上部軸受け４２は折り曲げられた板に軸を保持するための部品を取り付けることによって構成されている。第３上部軸受け４２の上面には上方に向けて突出した第１上部軸（第１軸）４３が設けられている。支柱４０の下端部の上面には上方に向けて突出した第３下部軸（第３軸）４４が設けられている。また、支柱４０の下端部の下面には下方に向けて突出した第１下部軸（第１軸）４５（図１３参照）が設けられている。
【００３０】
支柱４０の側面のうち、支持部材３７の前面３７ａに面している側面４０ａには、上下方向に間隔をおいて後述する遊技盤１３の第２上部軸（第２軸）４６を挿脱自在で、且つ回動自在に保持する第２上部軸受け（第２軸受け）４７と、後述する遊技盤１３の第２下部軸（第２軸）４８を挿脱自在で、且つ回動自在に保持する第２下部軸受け（第２軸受け）４９とが設けられている。
【００３１】
第２上部軸受け４７と第２下部軸受け４９とは同様の構成をしている。第２上部軸受け４７と第２下部軸受け４９とはともに略Ｌ字形状に形成されており、基部５０と受け部５１とに曲折して形成される板状部材からなる。基部５０は支柱４０の側面４０ａにネジ（不図示）で固定される。基部が支柱４０の側面４０ａに固定されると、受け部５１は支柱４０の側面４０ａから側方に向けて突出した状態になる。受け部５１には開口５１ａが形成されている。
【００３２】
窓部１４は略矩形の枠形状に形成されている。窓部１４の正面から向かって左上端面には、上方に向けて突出した第３上部軸４１が設けられている。また、窓部１４の正面から向かって左下端面には、支持部材３７の第３下部軸４４を挿脱自在で、且つ回動自在に保持する第３下部軸取り付け孔（第３軸受け）１４ｂ（図１３参照）が形成されている。詳しくは後述するが、窓部１４は、第３上部軸４１、第３下部軸４４、第３上部軸受け４２、及び第３下部軸取り付け孔１４ｂによって支持部材３７に対して回動自在で、且つ着脱自在に取り付けられ、窓部１４を回動させることにより遊技盤１３の前面側を開閉することが可能になる。
【００３３】
遊技盤１３の正面視左側面には上下方向に間隔をおいて第２上部軸４６と第２下部軸４８とが設けられている。第２上部軸４６と第２下部軸４８とは同様の構成になっており、基部５２と軸部５３とから構成されている。基部５２は略Ｌ字状に形成されている。基部５２は基端部５２ａと先端部５２ｂとに曲折して形成される板状部材からなる。基端部５２ａは遊技盤１３の側面にネジ（不図示）で固定される。基端部５２ａが遊技盤１３の側面に固定されると、基部５２の先端部５２ｂは該側面から外方に向けて突出した状態になる。基部５２の先端部５２ｂには下方に向けて突出した軸部５３が設けられている。
【００３４】
第２上部軸４６の軸部５３は、支持部材３７の第２上部軸受け４７の開口５１ａに挿通され、同様にして第２下部軸４８の軸部５３は、支持部材３７の第２下部軸４８受けの開口５１ａに挿通される。このように第２上部軸４６は第２上部軸受け４７に、第２下部軸４８は第２下部軸受け４９に挿脱自在で、且つ回動自在に保持される。
【００３５】
遊技盤１３の正面から見て右上端部と右下端部とのそれぞれには、遊技盤１３が支持部材３７に取り付けられたときに支持部材３７の挿通孔３７ｃに対応するように、支持部材３７の挿通孔３７ｃと同様の挿通孔１３ｃが１つずつ形成されている。また、遊技盤１３には、遊技盤１３が支持部材３７に取り付けられたときに第２固定部材３９の係止部３９ａに対応するように第２固定部材用挿通孔（孔部）１３ｄが形成されている。なお、この第２固定部材用挿通孔１３ｄは、挿通孔１３ｃ、３７ｃと同様の形状、大きさに形成されている。
【００３６】
図５及び図６に示すように、第４上部軸受け１６にはベース部材５４が設けられており、ベース部材５４には軸受け部材５５、ロック部材５６、トーションバネ５７が組み付けられている。
【００３７】
ベース部材５４は金属板を折り曲げることによって形成されており、その先端部には下方に突出するとともに円弧状に屈曲した壁５４ａが形成されている。軸受け部材５５はその側壁の一部が壁５４ａの形状に沿った形状となるように形成されており、軸受け部材５５がベース部材５４に組み付けられると、軸受け部材５５は壁５４ａの形状に沿って当接する。また、軸受け部材５５には、壁５４ａと当接する部分とは反対側の側壁を円弧状に切り欠くことによって形成された凹状の受け部５５ａが設けられている。
【００３８】
第１上部軸受け６７には上方に向けて突出する第４上部軸５８が設けられており、図７に示すように、受け部５５ａには第４上部軸５８が挿入され、第４上部軸５８が第４上部軸受け１６によって軸支される。第４上部軸５８は、受け部５５ａの挿入口５５ｂから受け部５５ａ内に挿入される。軸受け部材５５は、ねじ５９によってベース部材５４に組み付けられる。また軸受け部材５５には、後述する支軸６０に軸着されたロック部材５６の後述するストッパ面５６ａが当接する側壁面５５ｃが形成されている。
【００３９】
ロック部材５６には、ロック部材５６の下面に形成した溝からなるバネ収納部５６ｂが設けられている。バネ収納部５６ｂにはトーションバネ５７が収納される。トーションバネ５７は、ロック部材５６のバネ収納部５６ｂに収納され、トーションバネ５７の一端がバネ収納部５６ｂの側壁面に当接し、他端がベース部材５４に設けられた係止穴５４ｂに挿通される。これによって、ロック部材５６が反時計方向に付勢される。また、バネ収納部５６ｂを囲む壁面のうち、ロック部材５６の上面の反対側に位置する面には、ロック部材５６の上面に貫通した開口５６ｃが設けられている。開口５６ｃにはベース部材５４に設けられた支軸６０が上面側から挿通される。
【００４０】
ロック部材５６は、トーションバネ５７の付勢力によって軸受け部材５５の挿入口５５ｂを閉塞する閉塞位置に保持される。ロック部材５６は、本体基部１２を外枠１１に組み付ける際に、第４上部軸５８を軸方向と直交する方向（図５に示す矢印Ｘ方向）で外枠１１に向けて移動させたときに、本体基部１２の移動に伴って第４上部軸５８に押圧されて図８に示す位置からトーションバネ５７の付勢に抗して図９に示すように時計回りに回動する。ロック部材５６の回動によって、挿入口５５ｂが開放されるとともに軸受け部材５５とロック部材５６との間に第４上部軸５８の挿入経路６１が形成される。
【００４１】
また、ロック部材５６の上面には、ガイド溝５６ｄが形成されている。ガイド溝５６ｄは、ロック部材５６の回動方向に沿った略弓形の長溝に形成されている。ベース部材５４には下方に突出したピン６２が設けられており、ロック部材５６をベース部材５４に組み付けるとピン６２がガイド溝５６ｄに入り込む。ガイド溝５６ｄにピン６２が入り込むと、ロック部材５６は回動する方向が一定の方向にガイドされ、ロック部材５６の回動範囲が一定範囲に制限される。
【００４２】
また、ロック部材５６の側壁面には、軸受け部材５５の側壁面５５ｃに当接し、ロック部材５６の回動を一方向に制限するストッパ面５６ａと、軸受け部材５５の受け部５５ａに第４上部軸５８を挿入させる際に、第４上部軸５８が摺接される摺接面５６ｅが設けられている。
【００４３】
支軸６０には、ロック部材５６、トーションバネ５７、ワッシャー６３の順で組み付けられた後に、支軸６０に設けられた溝６０ａにｅリング６４が嵌め込まれることによって、上記各部材がベース部材５４に固定される。
【００４４】
図１３に示すように、第４上部軸５８の上方側の端部には、挿入部５８ａが形成されている。挿入部５８ａは、円柱形状でその先端が半球状に形成されている。挿入部５８ａは、第４上部軸受け１６に取り付けられた軸受け部材５５の受け部５５ａに挿入される。外枠１１の内壁のうちの下面で、正面から向かって左方の角部には、上方に向けて突出した第４下部軸６５が設けられ、本体基部１２の下面で、正面から向かって左方の角部には、第４下部軸取り付け孔１２ｃが形成されている。
【００４５】
外枠１１に本体基部１２を取り付ける際には、第４下部軸取り付け孔１２ｃには第４下部軸６５が挿入される。これにより、第４上部軸５８は第４上部軸受け１６に、第４下部軸６５は第４下部軸取り付け孔１２ｃに挿脱自在で、且つ回動自在に保持される。このように、本体基部１２は、第４上部軸５８と第４下部軸６５とによって、外枠１１に着脱自在で、かつ回動自在に取り付けられる。
【００４６】
次に、図５〜９、及び図１１を参照しながら第１上部軸受け６７及び第３上部軸受け４２について説明するが、第１上部軸受け６７は第４上部軸受け１６と同様の部材（ロック部材５６、トーションバネ５７、支軸６０、ワッシャー６３など）を用いて同様の構成によって第１上部軸４３を保持し、第３上部軸受け４２は第１上部軸受け６７と同様の部材を用いて同様の構成によって第３上部軸４１を保持するため、第１上部軸４３及び第３上部軸４１を保持するための構成及び同一の部材については、第４上部軸受け１６と同一の符号を用いて詳しい説明は省略し、第４上部軸受け１６との相違点（ベース部材５４及び軸受け部材５５）について説明する。
【００４７】
第４上部軸５８の下方側の端部には、位置決め部５８ｂが形成されている。位置決め部５８ｂは挿入部５８ａよりも一回り細い円柱形状に形成されている。また、第４上部軸５８の挿入部５８ａと位置決め部５８ｂの境目となる部分には、円盤状のフランジ５８ｃが設けられている。第４上部軸５８は、位置決め部５８ｂが第１上部軸受け６７のベース部材６８に形成された孔６８ａを貫通するように挿通されて第１上部軸受け６７に取り付けられる。位置決め部５８ｂが取り付けられると、フランジ５８ｃが第１上部軸受け６７の上面６７ａに接し、位置決め部５８ｂはベース部材６８の下面側に突出する。ベース部材６８は位置決め部５８ｂが挿通される孔６８ａが形成されている部分以外はベース部材５４と同様の構成となっている。
【００４８】
ベース部材６８の下面には、軸受け部材６９が取り付けられている。軸受け部材６９には、軸受け部材５５の受け部５５ａと同様の形状に形成された受け部６９ａが形成されている。受け部６９ａを取り囲む壁面には、内側に向けて突出した板状の係止部６９ｂが形成されている。第４上部軸５８は、係止部６９ｂで位置決め部５８ｂを狭持するようにして係止部６９ｂに係止させて位置決めしてから係止部６９ｂをカシメ加工することによってベース部材６８に取り付けられる。なお、カシメ加工の方法は例えば熱溶着など適宜の方法で行えば良い。
【００４９】
このようにして、第４上部軸５８が第４上部軸受け１６の軸受け部材５５で保持され、第１上部軸４３が第１上部軸受け６７の軸受け部材６９で保持されると、第１上部軸４３と第４上部軸５８との軸心（軸心部）が同軸上に配置される。
【００５０】
第１上部軸４３には第４上部軸５８の挿入部５８ａと同様の構成をした挿入部４３ａが形成されており、軸受け部材６９の受け部６９ａには、第１上部軸４３の軸方向と直交する方向（図５に示す矢印Ｘ方向）に支持部材３７を本体基部１２に向けて移動させたときに、挿入部４３ａが挿入される。なお、軸受け部材６９の側壁面６９ｃは軸受け部材５５の側壁面５５ｃと同様の構成となっている。このように軸受け部材６９における係止部６９ｂ以外の部分は軸受け部材５５と同様の構成であるので詳しい説明は省略する。
【００５１】
第３上部軸受け４２は、ベース部材６８と同様の構成をしたベース部材７０を備えている。ベース部材７０の下面側には、第１上部軸受け６７と同様に第３上部軸４１を保持するための部材（軸受け部材６９、ロック部材５６、トーションバネ５７、支軸６０、ワッシャー６３など）が取り付けられている。
【００５２】
第１上部軸４３は、第４上部軸５８と同形状、同様の構成の挿入部４３ａ、位置決め部４３ｂ、フランジ４３ｃを備えており、第４上部軸５８と同様にベース部材７０に取り付けられる。また、第４上部軸５８と同様に、第１上部軸４３は、係止部６９ｂを位置決め部４３ｂに係止させて位置決めしてから係止部６９ｂをカシメ加工することによってベース部材７０に取り付けられる。なお、カシメ加工の方法は例えば熱溶着など適宜の方法にすることが好ましい。
【００５３】
また、支持部材３７の支柱４０の下端部の下面には下方に突出した第１下部軸４５が設けられ、本体基部１２の支持部材３７が収納される部分の内壁の下面には、第１下部軸取り付け孔（第１軸受け）１２ｄが形成されている。支持部材３７を本体基部１２に取り付ける際には、第１下部軸取り付け孔１２ｄに第１下部軸４５が挿入される。これにより、第１上部軸４３は第１上部軸受け６７に、第１下部軸４５は第１下部軸取り付け孔１２ｄに挿脱自在で、且つ回動自在に保持される。
【００５４】
ベース部材７０に設けられた軸受け部材６９の受け部６９ａには、第３上部軸４１の軸方向と直交する方向（図５に示す矢印Ｘ方向）に窓部１４を支持部材３７に向けて移動させたときに、第３上部軸４１の先端部が挿入される。よって、窓部１４を支持部材３７に取り付ける際には、第３上部軸４１は、第３上部軸受け４２に設けられた軸受け部材６９で保持される。窓部１４を支持部材３７に取り付ける際には、窓部１４の第３下部軸取り付け孔１４ｂに第３下部軸４４が挿入される。これにより、第３上部軸４１は第３上部軸受け４２に、第３下部軸４４は第３下部軸取り付け孔１４ｂに挿脱自在で、且つ回動自在に保持される。
【００５５】
このようにして、第１上部軸４３が第１上部軸受け６７の軸受け部材６９で保持され、第３上部軸４１が第３上部軸受け４２の軸受け部材６９で保持されると、第１上部軸４３と第３上部軸４１との軸心（軸心部）が同軸上に配置される。
【００５６】
結果的に、パチンコ機１０が組み立てられると、第１上部軸４３、第３上部軸４１、第４上部軸５８、第１下部軸４５、第３下部軸４４、及び第４下部軸６５のそれぞれの軸心が軸方向で同一となるように各軸が配設される。
【００５７】
次に、第１固定部材３６及び第２固定部材３９について説明する。なお、第１固定部材３６と第２固定部材３９は同じ構造をしているため、第２固定部材３９を例に挙げて説明する。図１０に示すように、制御回路ユニット１５の支持部材３７に設けられている第２固定部材３９の係止部３９ａは軸部３９ｂを中心に回動自在に軸支されており、遊技盤１３が支持部材３７に取り付けられていない状態では、図に示すように長手方向が鉛直に向けられた取り外し位置にセットされている。
【００５８】
遊技盤１３の第２固定部材用挿通孔１３ｄは係止部３９ａと同様の形状に形成されている。また、遊技盤１３の第２固定部材用挿通孔１３ｄは係止部３９ａが挿入可能な大きさで、且つ上下に延びる長孔状に形成されており、第２固定部材３９の係止部３９ａを遊技盤１３の挿通孔に挿通させながら遊技盤１３の背面を支持部材３７の前面３７ａに突き当てると、係止部３９ａが第２固定部材用挿通孔１３ｄから回動自在となるように突出する。
【００５９】
図１１に示すように、係止部３９ａが第２固定部材用挿通孔１３ｄから突出した状態で、その長手方向が水平となるように係止部３９ａを９０度回転させると、係止部３９ａは、遊技盤１３の取り外しが不能になる固定位置にセットされる。係止部３９ａの固定位置への回動によって、係止部３９ａが第２固定部材用挿通孔１３ｄを通過不能となり、遊技盤１３の前面における第２固定部材用挿通孔１３ｄの縁に係止する。これにより遊技盤１３と制御回路ユニット１５とが一体化され、遊技盤１３が制御回路ユニット１５に対して回動不能となる。
【００６０】
他方、係止部３９ａを固定位置から取り外し位置に回転させると、係止部３９ａと第２固定部材用挿通孔１３ｄとによる係止状態が解除され、係止部３９ａが第２固定部材用挿通孔１３ｄを通過可能となる。これにより遊技盤１３と制御回路ユニット１５との一体化が解除される。このように遊技盤１３と制御回路ユニット１５とを一体化し、且つ前記一体化を解除する一体化手段は、第２固定部材３９と、この第２固定部材３９の係止部３９ａが挿入されて係止する第２固定部材用挿通孔１３ｄとから構成される。
【００６１】
第１固定部材３６については、第２固定部材３９と同様の方法で、第１固定部材３６の係止部３６ａを支持部材３７の挿通孔３７ｃ及び遊技盤１３の挿通孔１３ｃに、この順番で順次に挿通させた後、係止部３６ａを遊技盤１３の前面における挿通孔１３ｃの縁に係止させることにより、遊技盤１３及び支持部材３７が本体基部１２に固定される。これにより、遊技盤１３及び支持部材３７が本体基部１２に対して回動不能となる。
【００６２】
図４に示すように、窓部１４の第３上部軸４１の取り付け側と反対側の内壁面には施錠装置８０が取り付けられている。図１２に示すように、施錠装置８０は、窓部１４の内壁面に取り付けられた固定部材８１と、この固定部材８１に上下方向に摺動可能に取り付けられた可動部材８２と、本体基部１２の内壁面（図４の正面から向かって右側の内壁面）に設けられた突出片８３とから構成されている。固定部材８１に支持された可動部材８２は、本体基部１２の突出片８３に係合し、窓部１４と本体基部１２とをロックまたはロック解除する。
【００６３】
固定部材８１には、ピン８４及びストッパー８５が設けられており、これらを可動部材８２に係止させることによって、固定部材８１に可動部材８２が上下に移動自在に支持されている。また、窓部１４にはバネ８６が取り付けられており、バネ８６の付勢によって可動部材８２が上方向に付勢される。可動部材８２の窓部１４側の上下端部には矩形の切り欠き８７が形成されている。切り欠き８７の一端部８７ａがストッパー８５に係止すると可動部材８２の移動が規制される。
【００６４】
可動部材８２には、係止片８８が本体基部１２側の上下端部の２箇所に設けられている。係止片８８には、斜辺８８ａと溝部８８ｂとが形成されている。可動部材８２はバネ８６の弾性復元力によって上方向に付勢されているので、溝部８８ｂが突出片８３に引っ掛かって係止されることで、窓部１４が本体基部１２に対して開放不能となるようにロックされた状態になる。
【００６５】
窓部１４の前面には鍵穴１４ｃが設けられている（図１参照）。鍵穴１４ｃの内部には、特に図示しないが、所定の鍵を差し込むと嵌り合う溝を有する開錠用鍵と、開錠用鍵から窓部１４の可動部材８２に向かって延びる開錠用シャフト９０が設けられている。開錠用シャフト９０の先端には、突部９１ａを有する開錠用カム９１が形成されている。可動部材８２の開錠用カム９１に対応する位置には開口９２が形成されており、開口９２に開錠用カム９１の突部９１ａが嵌り込んで係止されている。
【００６６】
窓部１４と本体基部１２とのロックを解除するときは、鍵穴１４ｃに所定の鍵を差し込んで所定方向に回転させ、開錠用シャフト９０の先端に設けられた開錠用カム９１を、窓部１４の正面から見て時計周りに回転させる。これにより、開錠用シャフト９０が回転して開錠用カム９１の突部９１ａが開口９２の端部に係止し、可動部材８２が開錠用カム９１の突部９１ａによって押し下げられる。可動部材８２が押し下げられると、係止片８８の溝部８８ｂから係止片８８が外れて、窓部１４が本体基部１２に対して開放可能となるようにロックが解除された状態になる。
【００６７】
窓部１４を本体基部１２３にロックされた状態にするには、開放された状態の窓部１４を閉じる方向に変位させると、係止片８８の斜辺８８ａが突出片８３に当接する。斜辺８８ａが突出片８３に当接した後、さらに窓部１４を閉じる方向に変位させると、可動部材８２がバネ８６の付勢力に抗して斜辺８８ａの傾斜に沿って徐々に下に下がっていく。そして、突出片８３が斜辺８８ａを乗り越えて溝部８８ｂに嵌り込み、バネ８６の付勢力によって可動部材８２が初期位置に戻ると係止片８８は突出片８３に係止される。
【００６８】
次に、上記構成による作用について説明する。遊技盤１３、制御回路ユニット１５、及び窓部１４を本体基部１２に取り付ける場合、まず、制御回路ユニット１５の支持部材３７の背面３７ｂが本体基部１２の取り付け枠３５の前面に対面するように制御回路ユニット１５を本体基部１２の前面側に位置させる。そして、制御回路ユニット１５の上部を前面側に傾けながら第１下部軸４５を第１下部軸取り付け孔１２ｄに挿入する。第１下部軸４５の挿入後に該挿入部を軸に制御回路ユニット１５の上部を図５に示す矢印Ｘ方向に移動させる。
【００６９】
制御回路ユニット１５を図５に示す矢印Ｘ方向に移動させると、図８に示すように、第１上部軸４３がベース部材６８に組み付けられたロック部材５６に当接し、第１上部軸４３は、ロック部材５６の摺接面５６ｅに沿って移動する。そして、第１上部軸４３が図９中二点鎖線まで移動すると、ロック部材５６がトーションバネ５７の付勢に抗して図中時計方向に回転する。
【００７０】
図９に示すように、ロック部材５６の回転によって、ロック部材５６と軸受け部材６９との間に挿入経路６１が形成され、この挿入経路６１の一端と軸受け部材６９の挿入口５６ｂとが連通される。
【００７１】
そして、第１上部軸４３は挿入経路６１に沿って移動し、やがて図７に示すように、第１上部軸４３が軸受け部材６９の挿入口５６ｂから受け部６９ａに挿入される。第１上部軸４３が軸受け部材６９の受け部６９ａに挿入されると、ロック部材５６がトーションバネ５７の付勢によって図中反時計方向に回転する。そして、ロック部材５６のストッパ面５６ａが軸受け部材６９の側壁面６９ｃに当接し、前述した閉塞位置でロック部材５６が停止する。これにより、ロック部材５６の摺接面５６ｅと軸受け部材６９の側壁面６９ｃとによって形成された挿入経路６１が無くなり、挿入口５６ｂがロック部材５６の側壁面によって閉塞されて、第１上部軸４３がロック部材５６の側壁面と、軸受け部材６９の受け部６９ａの側壁面によって軸支される。これにより制御回路ユニット１５の本体基部１２への取り付けが完了する。
【００７２】
次に、支持部材３７の第２上部軸受け４７に遊技盤１３の第２上部軸４６を、支持部材３７の第２下部軸受け４９に遊技盤１３の第２下部軸４８を挿入する。これにより遊技盤１３の制御回路ユニット１５への取り付けが完了する。つまり、制御回路ユニット１５は本体基部１２に取り付けられているので、遊技盤１３は制御回路ユニット１５を介して本体基部１２に取り付けられたこととなる。
【００７３】
次に、第２固定部材３９の係止部３９ａを取り外し位置にセットする。係止部３９ａを取り外し位置にセットした後、制御回路ユニット１５が回動しないように制御回路ユニット１５を手で押さえながら、遊技盤１３の軸側とは反対側の端部を支持部材３７に向けて回動させ、遊技盤１３の第２固定部材用挿通孔１３ｄに第２固定部材３９の係止部３９ａを挿通させる。支持部材３７の前面３７ａに遊技盤１３の背面に突き当てると、第２固定部材用挿通孔１３ｄから第２固定部材３９の係止部３９ａが支持部材３７の前面３７ａに突出する。そして、第２固定部材３９の係止部３９ａを図１０に示す取り外し位置から図１１に示す固定位置に回動させると、遊技盤１３が制御回路ユニット１５に固定され、遊技盤１３と制御回路ユニット１５とが一体化する。これにより、遊技盤１３が制御回路ユニット１５に対して回動不能となる。
【００７４】
次に、第１固定部材３６の係止部３６ａを取り外し位置にセットする。係止部３６ａを取り外し位置にセットした後、遊技盤１３と制御回路ユニット１５とを一体化させたままの状態で、支持部材３７の軸側とは反対側の端部を本体基部１２の取り付け枠３５に向けて回動させる。制御回路装置３２を本体基部１２の開口１２ｂに挿通させながら、支持部材３７の挿通孔３７ｃ、及び遊技盤１３の挿通孔１３ｃに第１固定部材３６の係止部３６ａを挿通させる。
【００７５】
取り付け枠３５の前面に支持部材３７の背面３７ｂを突き当てると、遊技盤１３の挿通孔１３ｃから第１固定部材３６の係止部３６ａが遊技盤１３の前面に突出する。そして、第１固定部材３６の係止部３６ａを図１０に示す取り外し位置から図１１に示す固定位置に回動させると、遊技盤１３及び制御回路ユニット１５が本体基部１２に固定される。これにより、遊技盤１３及び制御回路ユニット１５が本体基部１２に対して回動不能となる。
【００７６】
次に、窓部１４の上部を前面側に傾けながら窓部１４の第３下部軸取り付け孔１４ｂに支持部材３７の第３下部軸４４を挿入する。そして、第３下部軸取り付け孔１４ｂに第３下部軸４４が挿入された状態で、該挿入部を軸に窓部１４の上部を図５に示す矢印Ｘ方向に移動させて第３上部軸４１を第３上部軸受け４２に設けられている軸受け部材６９の受け部６９ａ内に前述した第１上部軸４３と同様に図７〜図９に示すように挿入する。これにより、窓部１４の制御回路ユニット１５への取り付けが完了する。つまり、制御回路ユニット１５は本体基部１２に取り付けられているので、窓部１４は制御回路ユニット１５を介して本体基部１２に取り付けられたこととなる。
【００７７】
このようにして本体基部１２の前面側から、本体基部１２に制御回路ユニット１５及び遊技盤１３を、この順番で順次に取り付けた後、施錠装置８０により窓部１４を本体基部１２にロックする。これにより、遊技盤１３、制御回路ユニット１５及び窓部１４の本体基部１２への取り付けが完了する。
【００７８】
遊技盤１３、制御回路ユニット１５、及び窓部１４を本体基部１２から取り外す場合、先ず、施錠装置８０による窓部１４と本体基部１２とのロックを解除し、窓部１４を開放した状態にする。そして、第３下部軸４４から第３下部軸取り付け孔１４ｂが引き抜かれるように、窓部１４を上方向に持ち上げる。そして、第３下部軸４４から第３下部軸取り付け孔１４ｂが引き抜かれた状態で、窓部１４の下部を前面側に傾けながら窓部１４を下方向に押し下げて、第３上部軸４１を第３上部軸受け４２に設けられている軸受け部材６９の受け部６９ａから引き抜く。これにより、窓部１４の支持部材３７からの取り外しが完了する。
【００７９】
なお、窓部１４の上面が軸受け部材６９の下面に当接したり、あるいは、第３上部軸４１が第３上部軸受け４２のベース部材７０に当接したりして、窓部１４が持ち上げることができなくならないように、窓部１４の上面と軸受け部材６９の下面との間、及び第３上部軸４１とベース部材７０との間には窓部１４を持ち上げて第３下部軸４４を第３下部軸取り付け孔１４ｂから引き抜くことが可能となる距離が設けられている。
【００８０】
次に、第１固定部材３６の係止部３６ａを取り外し位置にセットする。第１固定部材３６の係止部３６ａから遊技盤１３の挿通孔１３ｃ及び支持部材３７の挿通孔３７ｃを引き抜くようにして遊技盤１３と制御回路ユニット１５とを一体化させたままの状態で回動させる。遊技盤１３の挿通孔１３ｃ及び支持部材３７の挿通孔３７ｃを第１固定部材３６の係止部３６ａから引き抜いた後、第１下部軸取り付け孔１２ｄから第１下部軸４５が引き抜かれるように、遊技盤１３と制御回路ユニット１５とを一体化させたままの状態で上方向に持ち上げる。そして、第１下部軸取り付け孔１２ｄから第１下部軸４５が引き抜かれた状態で、制御回路ユニット１５の下部を前面側に傾けながら制御回路ユニット１５を下方向に押し下げて、第１上部軸４３を第１上部軸受け６７に設けられている軸受け部材６９の受け部６９ａから引き抜く。これにより、遊技盤１３と制御回路ユニット１５とが一体化したままの状態で本体基部１２から取り外される。
【００８１】
なお、第１上部軸４３が第１上部軸受け６７のベース部材６８に当接したり、あるいは、支持部材３７の上面が軸受け部材６９の下面に当接したりして、支持部材３７を持ち上げることができなくならないように、第１上部軸４３とベース部材６８との間、及び支持部材３７の上面と軸受け部材６９の下面との間には支持部材３７を持ち上げて第１下部軸４５を第１下部軸取り付け孔１２ｄから引き抜くことが可能となる距離が設定されている。
【００８２】
遊技盤１３のみを本体基部１２から取り外すには、先ず、施錠装置８０による窓部１４と本体基部１２とのロックを解除し、窓部１４を開放した状態にする。そして、第１固定部材３６の係止部３６ａと第２固定部材３９の係止部３９ａとのそれぞれを取り外し位置にセットする。第１固定部材３６の係止部３６ａから遊技盤１３の挿通孔１３ｃを、第２固定部材３９の係止部３９ａから遊技盤１３の第２固定部材用挿通孔１３ｄを引き抜くようにして遊技盤１３を回動させる。遊技盤１３を回動させて各係止部から各挿通孔を引き抜いた後、遊技盤１３を上方にも打ち上げる。すると、第２上部軸受け４７から第２上部軸４６が、第２下部軸受け４９から第２下部軸４８が引き抜かれる。これにより遊技盤１３のみが本体基部１２から取り外される。
【００８３】
以上のように、遊技を行う際に遊技者と対面する側となる本体基部１２の前面側から、第１上部軸４３を第１上部軸受け６７に、第１下部軸４５を第１下部軸取り付け孔１２ｄに挿入して制御回路ユニット１５を本体基部１２に取り付けた後、第２上部軸４６を第２上部軸受け４７に、第２下部軸４８を第２下部軸受け４９に挿入して遊技盤１３を制御回路ユニット１５を介して本体基部１２に取り付けるとともに、第２固定部材３９と遊技盤１３の第２固定部材用挿通孔１３ｄとから構成されている一体化手段により遊技盤１３と制御回路ユニット１５とを一体化するようにしたので、遊技盤１３と制御回路ユニット１５とを本体基部１２に容易に取り付けることができ、また、遊技盤１３と支持部材３７とを一体化させたまま本体基部１２から取り外すことができる。さらに、遊技盤１３と支持部材３７とを一体化させてから本体基部１２に取り付け、遊技盤１３と支持部材３７とを本体基部１２からそれぞれ独立させて取り外すことも可能となる。
【００８４】
上記実施形態では、本体基部１２の前面側から制御回路ユニット１５及び遊技盤１３をこの順番で順次に取り付けたが、制御回路ユニット１５及び遊技盤１３を本体基部１２に取り付ける前に、制御回路ユニット１５と遊技盤１３とを一体化させて、制御回路ユニット１５と遊技盤１３とをまとめて本体基部１２に取り付けるようにしても良い。この場合、先ず、支持部材３７の第２上部軸受け４７に遊技盤１３の第２上部軸４６を、支持部材３７の第２下部軸受け４９に遊技盤１３の第２下部軸４８を挿入する。そして、第２固定部材３９を用いて遊技盤１３を支持部材３７に固定した後、第１上部軸４３を第１上部軸受け６７に、第１下部軸４５を第１下部軸取り付け孔１２ｄに挿入すれば良い。
【００８５】
上記実施形態では、支持部材３７に球通路３８及び制御回路装置３２を設けて制御回路ユニット１５を構成し、この制御回路ユニット１５を本体基部１２に取り付けるようにしたが、支持部材３７には、球通路３８と制御回路装置３２とのうち、少なくともいずれか一方が設けられていれば良く、球通路３８と制御回路装置３２とのいずれか一方が設けられている支持部材３７を本体基部１２に取り付けるようにしても良い。この場合、例えば、球通路３８を支持部材３７に設けて、制御回路装置３２を本体基部１２に据え置きの状態にし、支持部材３７が本体基部１２に取り付けられたときに支持部材３７と制御回路装置３２とを一体化するようにしても良い。また、遊技盤１３の背面に球通路３８を、支持部材３７に制御回路装置３２を設け、遊技盤１３を支持部材３７に取り付けたときに支持部材１８と球通路１９とを一体化するようにしても良い。このように、遊技盤１３や支持部材３７に取り付けられた状態で本体基部１２に取り付けるものと、本体基部１２に据え置かれ、遊技盤１３や支持部材３７が本体基部１２に取り付けられた後に遊技盤１３や支持部材３７に取り付けられるものとを区別するようにしても良く、遊技盤１３や支持部材３７に取り付けられるものと、本体基部１２に据え置くものとはパチンコ機２の構成や目的に応じて適宜に決定すれば良い。
【００８６】
上記実施形態では、第１固定部材３６の係止部３６ａを支持部材３７の挿通孔３７ｃ、遊技盤１３の挿通孔１３ｃの順に挿通させ、さらに第２固定部材３９の係止部３９ａを遊技盤１３の挿通孔１３ｄに挿通させることにより遊技盤１３と制御回路ユニット１５とを一体化させたが、これに限ることなく、第２固定部材３９のみを用いて遊技盤１３と制御回路ユニット１５との一体化を図っても良い。
【００８７】
以下、遊技盤を制御回路ユニットに固定する別の形態について説明するが、上記実施形態のものと同様の構成部材については同一の符号を付し、その詳細な説明は省略する。また、以下に記述する遊技盤１００については上記実施形態で説明した遊技盤１３とほぼ同様の構成をしているため、上記実施形態と重複する箇所の説明は省略し、上記実施形態と異なる箇所についてのみ説明する。
【００８８】
図１４に示すように、遊技盤１００には上述した遊技盤１３の挿通孔１３ｄと同様の構成をした第２固定部材用挿通孔１００ａが形成されている。遊技盤１３の右上端部及び左上端部のそれぞれには、切り欠き１００ｂが形成されている。
【００８９】
遊技盤１３を制御回路ユニット１５に固定して遊技盤１３と制御回路ユニット１５とを一体化する場合、先ず、支持部材３７の第２上部軸受け４７に遊技盤１３の第２上部軸４６を、支持部材３７の第２下部軸受け４９に遊技盤１３の第２下部軸４８を挿入する。次に、第２固定部材３９の係止部３９ａを取り外し位置にセットする。遊技盤１００の第２固定部材用挿通孔１００ａに第２固定部材３９の係止部３９ａを挿入し、係止部３９ａを遊技盤１００の前面に突出させる。そして、係止部３９ａを固定位置に回動させると、遊技盤１００が制御回路ユニット１５に固定され、遊技盤１００と制御回路ユニット１５とが一体化する。
【００９０】
次に、第１固定部材３６の係止部３６ａを取り外し位置にセットする。支持部材３７の挿通行３７ｃに第１固定部材３６の係止部３６ａを挿入し、係止部３６ａを支持部材３７の前面３７ａに突出させる。このとき、係止部３６ａは、遊技盤１００の切り欠き１００ａを通して前方に露呈される。そして、係止部３６ａを固定位置に回動させると、制御回路ユニット１５が本体基部１３に固定される。
【００９１】
以上のように、遊技盤１００に切り欠き１００ａを形成することにより、遊技盤１３の場合のように挿通孔１３ｃと挿通孔３７ｃとの位置合わせが不要となる。また、遊技盤１００と制御回路ユニット１５とを一体化させる場合には、遊技盤１００の第２固定部材用挿通孔１００ａ、及び制御回路ユニット１５の第２固定部材３９のみを用いれば良いので、より一層簡便に遊技盤１００と制御回路ユニット１５との一体化を図ることができる。さらに、遊技盤１００を制御回路ユニット１５から取り外す際には、第２固定部材３９の係止部３９ａを操作するだけで、遊技盤１００と制御回路ユニット１５との一体化が解除されるので、遊技盤１００を制御回路ユニット１５から取り外す作業を、より一層簡便に行うことができる。
【図面の簡単な説明】
【００９２】
【図１】本発明を用いたパチンコ機の外観を示す斜視図である。
【図２】本体基部を回動させた状態を示す斜視図である。
【図３】窓部を回動させた状態を示す斜視図である。
【図４】パチンコ機の分解斜視図である。
【図５】第１上部軸受け、第３上部軸受け、及び第４上部軸受けを示す斜視図である。
【図６】第４上部軸受けの分解斜視図である。
【図７】第４上部軸が第４上部軸受け、及び第１上部軸が第１上部軸受けで軸着された状態を示す下方からの正面図である。
【図８】第４上部軸受けに第４上部軸を軸着させる際の第４上部軸受けの状態、及び第１上部軸受けに第１上部軸を軸着させる際の第１上部軸受けの状態を示す下方からの正面図である。
【図９】第４上部軸受けに第４上部軸を軸着させる途中の第４上部軸受けの状態、及び第１上部軸受けに第１上部軸を軸着させる途中の第１上部軸受けの状態を示す下方からの正面図である。
【図１０】第２固定部材の係止部が取り外し位置にセットされた状態を示す正面図である。
【図１１】第２固定部材の係止部が固定位置にセットされた状態を示す正面図である。
【図１２】施錠装置の概略を示す断面図である。
【図１３】パチンコ機を組み立てた状態での各軸の配置を示す断面図である。
【図１４】別の実施形態である遊技盤と、この遊技盤が取り付けられる制御回路ユニット及び本体基部を示す斜視図である。
【符号の説明】
【００９３】
１０    パチンコ機（遊技機）
１２    本体基部
１２ｄ    第１下部軸取り付け孔（第１軸受け）
１３    遊技盤
１３ａ    遊技領域
１３ｄ    第２固定部材用挿通孔（孔部）
１４    窓部（回動扉）
１４ｂ    第３下部軸取り付け孔（第３軸受け）
３２    制御回路装置
３７    支持部材
３７ｂ    背面（装置支持部）
３８    球通路
３９    第２固定部材（係止突起）
４１    第３上部軸（第３軸）
４２    第３上部軸受け（第３軸受け）
４３    第１上部軸（第１軸）
４４    第３下部軸（第３軸）
４５    第１下部軸（第１軸）
４６    第２上部軸（第２軸）
４７    第２上部軸受け（第２軸受け）
４８    第２下部軸（第２軸）
４９    第２下部軸受け（第２軸受け）
６７    第１上部軸受け（第１軸受け）
【図１】
2005342317.tif 000003
【図２】
2005342317.tif 000004
【図３】
2005342317.tif 000005
【図４】
2005342317.tif 000006
【図５】
2005342317.tif 000007
【図６】
2005342317.tif 000008
【図７】
2005342317.tif 000009
【図８】
2005342317.tif 000010
【図９】
2005342317.tif 000011
【図１０】
2005342317.tif 000012
【図１１】
2005342317.tif 000013
【図１２】
2005342317.tif 000014
【図１３】
2005342317.tif 000015
【図１４】
2005342317.tif 000016